(57)【要約】      （修正有）【課題】鋏の柄に改良を加え、より使い勝手のよい鋏を提供する。【解決手段】硬質の芯材４と、芯材４よりも軟らかく、使用者の手指が接触する接触面部５１、接触面部５１に隣接し周囲よりも薄肉となる有底凹穴部５２、並びに有底凹穴部５２に連なる貫通孔部を有している軟質材５とを具備してなる鋏の柄２２を構成した。使用者が指掛環に手指を抜き差し等する際、接触面部５１が貫通孔部を圧縮しながら退避する作用、有底凹穴部５２を支点として傾動する作用が営まれる。また、有底凹穴部５２と貫通孔部とを連ねて成形したことで、接触面部５１の弾性変形性と保形性とが両立し、接触面部５１を含む軟質材５の耐久性の確保にも奏効する。【選択図】図２
2010247293.tif 000002
【特許請求の範囲】
【請求項１】
使用者が把持して使用する用具の柄であって、
硬質の芯材と、
前記芯材よりも軟らかく、使用者の手指が接触する接触面部、及び接触面部に隣接し周囲よりも薄肉となる有底凹穴部を有している軟質材と
を具備する柄。
【請求項２】
使用者が把持して使用する用具の柄であって、
硬質の芯材と、
前記芯材よりも軟らかく、使用者の手指が接触する接触面部、接触面部に隣接し周囲よりも薄肉となる有底凹穴部、並びに有底凹穴部に連なる貫通孔部を有している軟質材と
を具備する柄。
【請求項３】
使用者の手指が挿入される指掛を備えており、その指掛の内周の少なくとも一部に前記接触面部を配している請求項１または２記載の柄。
【請求項４】
前記指掛の内周に略沿って前記有底凹穴部及び前記貫通孔部が略弧状に形成されている請求項３記載の柄。
【請求項５】
前記貫通孔部の側縁に前記有底凹穴部を設けている請求項４記載の柄。
【請求項６】
前記用具が鋏である請求項１、２、３、４または５記載の柄。
【請求項７】
支軸回りに相対回動する一対の鋏身のそれぞれの柄であり、
使用者の手指が挿入される指掛を備え、
前記指掛の内周における、柄の基端と支軸とを結ぶ直線方向に対向した部位に前記接触面部を配している請求項６記載の柄。
【請求項８】
支軸回りに相対回動する一対の鋏身のそれぞれの柄であり、
使用者の手指が挿入される指掛を備え、
前記指掛の内周における、相手方の鋏身の指掛に臨む内側方の部位に前記芯材を配しており、その他の部位に前記接触面部を配している請求項６または７記載の柄。
【請求項９】
請求項１、２、３、４、５、６、７または８記載の柄を備えてなる用具。
【発明の詳細な説明】
【技術分野】
【０００１】
本発明は、使用者が把持して使用する用具の柄、特に、鋏やその他の手工具の柄に関する。
【背景技術】
【０００２】
一般的な鋏の柄は、金属製または硬質樹脂製の硬い剛体であり、使用者の手指が挿入される指掛環が変形することはない。それ故、手指の大きさや形にフィットしなかったり、力を込めて使用したときに指が痛く感じられたりすることがある。
【０００３】
これに対し、下記特許文献に開示されている鋏では、指掛環の内周側に軟質樹脂層を設けることで指掛環を変形可能とし、上記の問題の解消を図っている。
【０００４】
しかし、単純に軟質樹脂層を設けるだけでは、その効果が必ずしも充分でなく、依然として指掛環に硬さが残るきらいがあった。
【先行技術文献】
【特許文献】
【０００５】
【特許文献１】特開２００３−３１１０４１号公報
【発明の概要】
【発明が解決しようとする課題】
【０００６】
以上に鑑みてなされた本発明は、使用者が把持して使用する用具の柄に改良を加え、より使い勝手のよい用具を提供しようとするものである。
【課題を解決するための手段】
【０００７】
本発明に係る用具の柄は、硬質の芯材と、前記芯材よりも軟らかく、使用者の手指が接触する接触面部、及び接触面部に隣接し周囲よりも薄肉となる有底凹穴部を有している軟質材とを具備してなる。
【０００８】
ここで、用具とは、鋏の他、スプーン、フォーク、ナイフ、包丁、箸、筆記具、ペンチ、ドライバ等の手工具や、ドア、松葉杖等をも包括した概念である。ドアの場合にはそのドアの取手が、松葉杖の場合には使用者の手のひら（掌底）が接触する握りが、本発明の柄に該当する。
【０００９】
本発明では、有底凹穴部によって接触面部の変位ないし変形を促し、接触面部に適度な軟らかさを付与し、この接触面部が使用者の手指の大きさや形にフィットするようにしている。
【００１０】
また、軟質材は、使用者の手指が接触する接触面部、接触面部に隣接し周囲よりも薄肉となる有底凹穴部、並びに有底凹穴部に連なる貫通孔部を有しているものとすることが望ましい。接触面部に隣接する貫通孔部を設けるだけでは接触面部が軟弱になり過ぎてしまうが、有底凹穴部と貫通孔部とを連ねて成形することで、接触面部の弾性変形性と保形性とを両立させることができる。接触面部を含む軟質材の耐久性の確保にも奏効する。
【００１１】
使用者の手指が挿入される指掛を備えており、その指掛の内周の少なくとも一部に前記接触面部を配しているものとすれば、指掛に手指を抜き差し等する際に、接触面部が貫通孔部を圧縮しながら退避する作用、または接触面部が有底凹穴部を支点として傾動する作用が営まれ、用具の使用感の向上に資する。
【００１２】
前記指掛の内周に略沿って前記有底凹穴部及び前記貫通孔部が略弧状に形成されていれば、指掛の内周の広い範囲を軟らかく変形可能とすることができる。
【００１３】
そして、前記貫通孔部の側縁に前記有底凹穴部を設けているならば、接触面部を適度な軟らかさに調整しながら、接触面部の保形性をも確保できる。
【００１４】
本発明は、鋏の柄への適用に好適である。支軸回りに相対回動する一対の鋏身のそれぞれの柄において、使用者の手指が挿入される指掛を備え、前記指掛の内周における、柄の基端と支軸とを結ぶ直線方向に対向した部位に前記接触面部を配すれば、この鋏を使用した切り作業時に手指が擦れる箇所に軟らかい接触面部が存在することとなり、鋏としての使い勝手が良化する。
【００１５】
また、前記指掛の内周における、相手方の鋏身の指掛に臨む内側方の部位に前記芯材を配し、その他の部位に前記接触面部を配すれば、切り作業時に前記芯材を介して鋏身に握力を加えやすく、好ましい。
【発明の効果】
【００１６】
本発明によれば、使用者が把持して使用する用具の柄が改良され、より使い勝手のよい用具の提供が可能となる。
【図面の簡単な説明】
【００１７】
【図１】本発明の一実施形態の柄を採用した鋏を示す斜視図。
【図２】同実施形態の鋏の平面図。
【図３】同実施形態の鋏の刃を示すＡ−Ａ線断面図。
【図４】同実施形態の鋏の柄を示すＢ−Ｂ線断面図。
【図５】同実施形態の鋏の柄を示すＣ−Ｃ線断面図。
【図６】同実施形態の鋏の使用状態を示す図４に対応した側断面図。
【図７】同実施形態の鋏の使用状態を示す図５に対応した側断面図。
【図８】同実施形態の鋏の使用状態を示す側断面図。
【図９】本発明の変形例の一である鋏を示す平面図。
【図１０】本発明の変形例の一であるスプーンを示す側面図。
【発明を実施するための形態】
【００１８】
本発明の一実施形態を、図面を参照して説明する。図１及び図２に示す本実施形態の用具は、鋏Ｈである。この鋏Ｈは、既知の鋏Ｈと同様、動刃１１に柄１２を取り付けた第一の鋏身１と、静刃２１に柄２２を取り付けた第二の鋏身２とを、支軸３を介して相対回動可能に連結してなるものである。
【００１９】
動刃１１、静刃２１とも、例えばステンレス鋼板等の金属板を素材とし、全体を一体的にプレス成形することにより作製する。
【００２０】
図３に示すように、動刃１１及び静刃２１はそれぞれ、相手方の刃２１、１１（の刃裏面）と摺動する平坦な刃裏面を有する刃線部１１１、２１１と、刃線部１１１、２１１に隣接した凹陥部１１２、２１２とを備えている。凹陥部１１２、２１２は、刃線部１１１、２１１との間に段差をなして相手方の刃の刃裏面から厚み方向に離間するとともに、刃裏面に対して平行な底面を有する。この凹陥部１１２、２１２は、粘着テープやクラフトテープ等の、裏面に粘着剤等を塗布したテープ類またはシート類を切断したときに、その粘着剤等が動刃１１と静刃２１との両刃裏面間に粘着して鋏身１、２の動きを悪くする不具合を避けるために存在している。一旦刃裏面に付着した粘着剤等は、相手方の刃によりこそぎ落とされ、凹陥部１１２、２１２内に押し出される。
【００２１】
動刃１１及び静刃２１に取り付けた柄１２、２２は、硬質の芯材４と、芯材４よりも軟らかい軟質材５とを組み合わせて構成している。なお、図１及び図２（並びに、図９、図１０）において、芯材４を網点にて表す。芯材４は、例えばポリエチレン、ポリスチレン、ポリプロピレンやＡＢＳ樹脂、アクリル酸系樹脂等の熱可塑性樹脂材である。軟質材５は、例えばラバー素材等の弾性のある合成樹脂材である。柄１２、２２は、これら芯材４及び軟質材５を一体的に成形（特に、二色成形）することにより作製する。
【００２２】
動刃１１に取り付ける柄１２は、使用者の親指が挿入される指掛環１２１を備える。また、静刃２１に取り付ける柄２２は、使用者の人差し指、中指または薬指が挿入される指掛環２２１を備える。柄１２、２２の本体、即ち刃に取り付く先端部及び指掛環１２１、２２１の外周は、芯材４により形成する。加えて、指掛環１２１、２２１の内周における、相手方の柄２２、１２の指掛環２２１、１２１に臨む内側方の部位も芯材４により形成し、芯材４が表出して使用者の指に触れるようにする。
【００２３】
他方、指掛環１２１、２２１の内周におけるその他の部位は、軟質材５により形成しており、軟質材５が平面視略Ｃ字型をなしている。この軟質材５は、使用者の手指が接触する接触面部５１、接触面部５１に隣接し周囲よりも薄肉となる有底凹穴部５２、並びに有底凹穴部５２に連なる貫通孔部５３を有している。
【００２４】
接触面部５１は、指掛環１２１、２２１の内周における、柄１２、２２の基端と支軸３とを結ぶ直線Ｌ方向に対向した部位に位置する。有底凹穴部５２及び貫通孔部５３は、各接触面部５１の外周側に隣接している。有底凹穴部５２及び貫通孔部５３は、指掛環１２１、２２１の内周に略沿って拡張している。即ち、有底凹穴部５２及び貫通孔部５３はそれぞれ、略部分円弧状または略部分楕円弧状に形成される。
【００２５】
有底凹穴部５２は、軟質材５の肉厚を周囲よりも薄肉とする有底穴または有底溝である。図４に示すように、本実施形態では、鋏身１、２の表側、裏側からそれぞれ肉盗んで有底凹穴部５２を形成しており、厚み方向の略中間に底５２１がある。
【００２６】
図５に示すように、貫通孔部５３は、ちょうど有底凹穴部５２の底５２１を貫いたような孔または溝である。本実施形態では、貫通孔部５３の拡張方向の両側に有底凹穴部５２が連接している。有底凹穴部５２及び貫通孔部５３の組は、全体として平面視略三日月型をなす。
【００２７】
これら有底凹穴部５２及び貫通孔部５３は、接触面部５１の変位ないし変形を促し、接触面部５１に適度な軟らかさを付与する。使用者の手指によって接触面部５１が外周側に圧迫されるとき、図６に示すように有底凹穴部５２の底５２１が圧縮し、及び／または、図７に示すように貫通孔部５３が圧縮して、接触面部５１を外周側へ退避させることができる。
【００２８】
また、図８に示すように、使用者の手指は、厚み方向、換言すれば指掛環１２１、２２１の連通する方向に対して傾斜した向きで指掛環１２１、２２１に差し入れられることが多い。その際には、接触面部５１が有底凹穴部５２の底５２１を支点として斜めに傾くことができる。いわば、指掛環１２１、２２１が傾斜して（または、捻れ）、使用者の手指の抜き差しを容易にする。
【００２９】
本実施形態によれば、硬質の芯材４と、前記芯材４よりも軟らかく、使用者の手指が接触する接触面部５１、接触面部５１に隣接し周囲よりも薄肉となる有底凹穴部５２、並びに有底凹穴部５２に連なる貫通孔部５３を有している軟質材５とを具備する鋏Ｈの柄１２、２２を構成したため、有底凹穴部５２及び貫通孔部５３によって接触面部５１の変位ないし変形を促し、接触面部５１に軟らかさを付与し、この接触面部５１が使用者の手指の大きさや形にフィットする好適なものとなる。
【００３０】
また、接触面部５１に隣接する貫通孔部５３を設けるだけでは接触面部５１が軟弱になり過ぎてしまうが、有底凹穴部５２と貫通孔部５３とを連ねて成形しているため、接触面部５１の弾性変形性と保形性とを両立させることができる。接触面部５１を含む軟質材５の耐久性の確保にも奏効する。
【００３１】
使用者の手指が挿入される指掛１２１、２２１を備えており、その指掛１２１、２２１の内周の少なくとも一部に前記接触面部５１を配しているため、指掛１２１、２２１に手指を抜き差し等する際に、接触面部５１が貫通孔部５３を圧縮しながら退避する作用、または接触面部５１が有底凹穴部５２を支点として傾動する作用が営まれ、鋏Ｈの使用感の向上に資する。
【００３２】
前記指掛１２１、２２１の内周に略沿って前記有底凹穴部５２及び前記貫通孔部５３が拡張しているため、指掛１２１、２２１の内周の広い範囲を軟らかく変形可能とすることができる。
【００３３】
そして、前記貫通孔部５３の拡張方向即ち周方向の両側縁に前記有底凹穴部５２を設けているため、接触面部５１を適度な軟らかさに調整しながら、接触面部５１の保形性をも確保できる。
【００３４】
支軸３回りに相対回動する一対の鋏身１、２のそれぞれの柄１２、２２において、使用者の手指が挿入される指掛１２１、２２１を備え、前記指掛１２１、２２１の内周における、柄１２、２２の基端と支軸３とを結ぶ直線Ｌ方向に対向した部位に前記接触面部５１を配しているため、この鋏Ｈを使用した切り作業時に手指が擦れる箇所に軟らかい接触面部５１が存在することとなり、鋏Ｈとしての使い勝手が良化する。
【００３５】
また、前記指掛１２１、２２１の内周における、相手方の鋏身２、１の指掛２２１、１２１に臨む内側方の部位に前記芯材４を配し、その他の部位に前記接触面部５１を配しているため、切り作業時に前記芯材４を介して鋏身１、２に握力を加えやすく、好ましい。
【００３６】
なお、本発明は以上に詳述した実施形態に限られるものではない。上記実施形態の鋏の柄は、周縁の閉じた環状の指掛を備えていたが、周縁が一部欠損して開放した非環状の指掛を備えるものとしてもよい。
【００３７】
有底凹穴部と貫通孔部との位置関係も、上記実施形態の態様に限定されない。例えば、有底凹穴部を貫通孔部の拡張方向の両側縁に設けず一方の側縁にのみ設けてもよい。有底凹穴部を貫通孔部の両側縁に設けるのとは逆に、有底凹穴部の両側縁に貫通孔部を設けてもよい。
【００３８】
あるいは、接触面部の外周側に有底凹穴部を隣接させて設けた上、その有底凹穴部の外周側に貫通孔部を隣接させて設けるようにすることも考えられる。
【００３９】
上記実施形態では、軟質部５に有底凹穴部５２及び貫通孔部５３の両方を設けていたが、図９に示すように、軟質部５に貫通孔部５３を設けず有底凹穴部５２のみを設けるようにしても、良好な結果を得られる。
【００４０】
さらに、本発明の適用対象となる用具は鋏には限られず、スプーン、フォーク、ナイフ、包丁、箸、筆記具、ペンチ、ドライバ等の手工具や、ドアの取手、松葉杖の握り等に本発明の柄を採用することも可能である。図１０に、本発明の柄６をスプーンＳに適用した例を示す。
【００４１】
その他各部の具体的な構成は、本発明の趣旨を逸脱しない範囲で種々変形が可能である。
【産業上の利用可能性】
【００４２】
本発明は、例えば鋏等の手工具の柄として用いることができる。
【符号の説明】
【００４３】
Ｈ…用具（鋏）
１、２…鋏身
１２、２２…柄
１２１、２２１…指掛（指掛環）
４…芯材
５…軟質材
５１…接触面部
５２…有底凹穴部
５３…貫通孔部
Ｓ…用具（スプーン）
６…柄
【図１】
2010247293.tif 000003
【図２】
2010247293.tif 000004
【図３】
2010247293.tif 000005
【図４】
2010247293.tif 000006
【図５】
2010247293.tif 000007
【図６】
2010247293.tif 000008
【図７】
2010247293.tif 000009
【図８】
2010247293.tif 000010
【図９】
2010247293.tif 000011
【図１０】
2010247293.tif 000012